(57)【特許請求の範囲】
【請求項１】
本体（１）と鋸歯部を有するガイド（２）内を長手方向に前後自由にスライド移動可能なグリップ（３）とロック部材（４）からなる作用部（１４）を設け、前記グリップ（３）には刃（６）が保持されているカッターナイフにおいて、刃（６）の一面には、グリップ（３）と共動する鋸歯部を有するガイド連結板（５）及び、前記ガイド連結板先端にはスプリング部材（１１）にて弾発支持された、カッター刃ガイド（１２）を本体（１）の内部に設けたことを特徴とするカッターナイフ。
【請求項２】
ガイド連結板（５）はロック部材（４）の内部に設けられ、スライド移動する操作ボタン（９）とこれによるロックキー（１０）の移動により、前記ロックキー（１０）とガイド連結板（５）に設けられた鋸歯部とが着脱自在に噛み合いカッター刃ガイド（１２）の使用を選択出来る事を特徴とする請求項１に記載したカッターナイフ。
【発明の詳細な説明】
【０００１】
【産業上の利用分野】
本発明は、繰り出し式の刃を有する連続折刃式、カッターナイフに関するものである。
【０００２】
【従来の技術】
従来より、繰り出し式で折刃方式のカッターナイフは一般に非常に多く使用され、出願においても数多くの出願がみられる。
しかしながら、繰り出した刃は常に切れる状態にある。
その後、こうした刃の安全性を考慮する様になる。実開昭５０−１３６９００（以下（イ）とする。）、実開昭５１−３９３００（以下（ロ）とする。）、実開昭５１−１５７１００（以下（ハ）とする。）、特公昭５９−６６７２（以下（ニ）とする。）、実開昭６０−２７８６３（以下（オ）とする。）がある。
（イ）は、外部に保護カバ−を設け、バネによって前方へ常に押圧されている。しかしながら、構成も異なり刃が出てない時でもガイド片は、フレームより突出することになり、このカッタ−を携帯しずらくなる。
（ロ）は、本体外部に握り部材とともにガイド片を設けて、前後に移動させて、ガイドとして使用しているが、刃を保護出来る部材ではない。また、構成においても本体の外側に設けられているので大きくなる。
（ハ）は、（ロ）と同様に本体１の外部にガイド部を設けており、本発明とは、明らかに目的、構成、効果を異にしている。このガイド体は定規等を傷つけない作用である。
（ニ）は、バネ部材により常に刃が引き込まれる様になっており、刃を使用する際には、スライド片をバネ部材に抗して露呈させる。従って、本発明とは構成を異にしている。
（ホ）は、刃１０を保護するエッジガード２に覆われており、カッターを使用する際には、切る対象物に押しつけて切る。従って、使用方法は本発明と同じであるが刃の突出量の規制の方法は異なる。また、エッジガード２の構成も異なるものである。
【０００３】
【発明が解決しようとする課題】
以上の様に、刃のガイド部材が常に、本体より露呈しており、他の物をひっかけてしまったり破損したりする。従って、刃を本体から露呈させた時にガイド部材で刃の切れる部分を選択自由に覆う様にしたカッターであり、ガイド部材も刃の露呈とともに収納、飛び出しが可能としたカッターを提供するものである。
【０００４】
【課題を解決するための手段】
本体１と鋸歯部を有するガイド２内を長手方向に前後自由にスライド移動可能なグリップ３とロック部材４からなる作用部１４を設け、前記グリップ３には刃６が保持されているカッターナイフにおいて、刃６の一面には、グリップ３と共動する鋸歯部を有するガイド連結板５及び、前記ガイド連結板先端にはスプリング部材１１にて弾発支持された、カッター刃ガイド１２を本体１の内部に設けたことを特徴とするカッターナイフであり、また、前記ガイド連結板５はロック部材４の内部に設けられ、スライド移動する操作ボタン９とこれによるロックキー１０の移動により、前記ロックキー１０とガイド連結板５に設けられた鋸歯部とが着脱自在に噛み合いカッター刃ガイド１２の使用を選択出来る事を特徴とするカッターナイフである。
【０００５】
【作用】
本発明のカッターを従来のカッターと同様に使用するには、グリップ３とこの後端に設けられたロック部材４を共動させ、指等で本体開口端方向にスライド押圧させる。するとグリップ３、ロック部材４と共動し、本体１内をスライド移動する。ガイド連結板５には、刃６側に鋸歯部を設けており、先端には、スプリング部材１１で弾発支持されたカッター刃ガイド１２が設けられている。次に、カッター刃ガイド１２を使用するには、操作ボタン９の突出部分を押圧し、ガイド連結板５に設けられた鋸歯部とロックキー１０を噛み合わせて、グリップ３、ロック部材４、ガイド連結板５を固定し、前記カッター刃ガイド１２は刃６と同時に本体開口端より露呈される。
更に、カッター刃ガイド１２で保護されている刃６を使用するためには、切断しようとしている部材に押圧させる。
するとカッター刃ガイド１２はスプリング部材１１にて弾発支持されているので、この弾発力に抗して、後方に戻される。これで刃先が露呈することとなり、切断しょうとしている物を切ることが出来る。
使用後は、上記とは逆の方法でグリップ３を指等で本体開口端から逆方向にスライド移動させる。すると、グリップ３のスライド移動と共動して、ロック部材４、ガイド連結板５が本体内をスライド移動し、刃６とカッター刃ガイド１２を本体内に収納する。
こうして最後に、操作ボタン９を押圧し、ロックキー１０とガイド連結板５の鋸歯との噛み合いを解除する。
【０００６】
【実施例】
本発明の実施例を図より詳細に説明する。
１は、コ字状の本体であり、この中にはガイド２が左右に設けられており、一方開口端を刃折具７を設けた栓８が嵌合されており、開口端を塞いでいる。
また、本体１にはスライド可能に操作ボタン９がどちらか一方側に突出されている。前記本体１の内部には、グリップ３、ロック部材４、ガイド連結板５及び刃６がスライド可能に配設されている。
３は、グリップであり、前記グリップ３にはロック部材４とガイド連結板５が連結されており、スライド共動する。前記グリップ３には、先端に刃６を固定しており、この刃６もスライド移動することになる。また、凸部１３を設けている。
４は、ロック部材であり、内部に操作ボタン９とロックキー１０を設けており、前記操作ボタン９の突出部分を押圧し軸線方向と垂直方向にスライドさせるとロックキー１０は、軸線方向に対し垂直方向に移動しガイド連結板５に設けられた鋸歯部に噛み合うことになる。
更に、前記ガイド連結板５の刃６側には、鋸歯部を設けており、先端にはスプリング部材１１が設けられており刃６の刃先を保護する刃ガイド１２を弾発支持している。
【０００７】
凸部１３は、従来品と同様にガイド２に設けられた鋸歯部に噛み合いスライド移動し、開口端からの刃の露呈量の位置で自由に噛み合い固定される。
本発明のカッターを従来品と同様に使用するには、グリップ３とこの後端に設けられたロック部材４を共動させて、指等で本体開口端方向にスライド移動させる。するとグリップ３、ロック部材４と共動し本体１内をスライド移動する。
この時、グリップ３に設けられた突部１３とガイド２に設けた左右の鋸歯部に噛み合いながら前方に移動し、丁度良い刃の露呈位置で前記２者が噛み合って固定される。
ガイド連結板５には、刃６側に鋸歯部を設けており、先端には、スプリング部材１１で弾発支持されたカッター刃ガイド１２が設けられている。
次に、カッター刃ガイド１２を使用するには、操作ボタン９の突出部分を押圧しロックキー１０をガイド連結板５の鋸歯部に噛み合わせ、前記カッター刃ガイド１２を刃６と同時に本体開口端より露呈する。
この状態でカッターを使用するには、カッター刃ガイド１２で保護されている刃６を切断しようとしている部材に押圧させる。するとカッター刃ガイド１２はスプリング部材１１にて弾発支持されているので、この弾発力に抗して、後方に戻される。これで刃先が露呈することとなり、切断しょうとしている物を切ることが出来る。
使用後は、上記とは逆の方法でグリップ３を指等で本体開口端から逆方向にスライド移動させる。すると、グリップ３のスライド移動と共動して、ロック部材４、ガイド連結板５が本体内をスライド移動し、刃６とカッター刃ガイド１２を本体内に収納する。
こうして最後に、操作ボタン９を押圧し、ロックキー１０とガイド連結板５の鋸歯との噛み合いを解除する。
また、操作ボタン９とロックキー１０の動きは逆になっても良い。この時、ガイド２に設けられている鋸歯部とロックキー１０とが噛み合い、ガイド連結板５と刃６と共動することが出来る。ガイド連結板５に設けられている鋸歯部は必要がない。
【０００８】
【効果】
以上のような、構成であるので本発明のカッターナイフは、刃を使用するときには操作ボタン９により刃の先端を覆うように露呈され、刃がスライド移動する方向には刃を保護しないが、スライド移動する方向と垂直方向に対しての指等の刃への接触を防ぐものである。また、本体内にカッター刃ガイド１２を収納できるのでポケット等への携帯もしやすい。
【０００９】
【図面の簡単な説明】
【図１】本発明の実施例の刃収納時の断面図
【図２】本発明の実施例の刃収納時の正面図
【図３】本発明の実施例の刃の使用状態を示す断面図
【図４】本発明の実施例のガイド連結板の斜視図
【図５】本発明の実施例のカッター刃ガイドの斜視図
【図６】本発明の実施例のカッター刃ガイドの側面図
【図７】本発明の実施例のグリップの斜視図
【図８】本発明の実施例のグリップの側面図
【００１０】
【符号の説明】
１：本体
２：ガイド
３：グリップ
４：ロック部材
５：ガイド連結板
６：刃
７：刃折り
８：栓
９：操作ボタン
１０：ロックキー
１１：スプリング部材
１２：カッター刃ガイド
１３：凸部
１４：作用部
【図１】
0003581417.tif 000002
【図２】
0003581417.tif 000003
【図３】
0003581417.tif 000004
【図４】
0003581417.tif 000005
【図５】
0003581417.tif 000006
【図６】
0003581417.tif 000007
【図７】
0003581417.tif 000008
【図８】
0003581417.tif 000009